(57)【要約】【課題】  ２点拡大表示における処理をタッチ操作で操作性良く行えるようにする。【解決手段】  前記表示手段にタッチしたまま移動する移動操作が横方向にあった場合に、２点拡大表示における第１の表示領域と第２の表示領域で表示される範囲にそれぞれ対応する第１の撮像領域と第２の撮像領域が互いに離れている場合には、前記移動操作に応じて前記第２の撮像領域を変更することなく前記第１の撮像領域の位置を変更し、  横方向への前記移動操作があった場合に、前記第１の撮像領域に対して、前記移動操作によって前記第１の撮像領域を移動すべき方向に前記第２の撮像領域が隣接している場合には、前記移動操作に応じて前記第１の撮像領域と前記第２の撮像領域の双方の位置を変更するように制御する。【選択図】  図８
2018107713.tif 000002
【特許請求の範囲】
【請求項１】
撮像手段における横方向に異なる位置の第１の撮像領域と第２の撮像領域で撮像されたライブビュー画像を表示手段に並べて表示する２点拡大表示を行うように制御する表示制御手段と、
前記表示手段に対するタッチ操作を検知するタッチ検知手段と、
前記表示手段にタッチしたまま移動する移動操作が横方向にあった場合に、前記２点拡大表示における第１の表示領域と第２の表示領域で表示される範囲にそれぞれ対応する前記第１の撮像領域と前記第２の撮像領域が互いに離れている場合には、前記移動操作に応じて前記第２の撮像領域を変更することなく前記第１の撮像領域の位置を変更し、
横方向への前記移動操作があった場合に、前記第１の撮像領域に対して、前記移動操作によって前記第１の撮像領域を移動すべき方向に前記第２の撮像領域が隣接している場合には、前記移動操作に応じて前記第１の撮像領域と前記第２の撮像領域の双方の位置を変更するように制御する制御手段と
を有することを特徴とする撮像制御装置。
【請求項２】
前記制御手段は、縦方向に前記移動操作があった場合には、前記第１の撮像領域と前記第２の撮像領域が隣接しているか否かに関わらず、前記移動操作に応じて前記第１の撮像領域と前記第２の撮像領域の双方の位置を変更するように制御することを特徴とする請求項１に記載の撮像制御装置。
【請求項３】
前記制御手段は、前記１の表示領域内でマルチタッチによるピンチインまたはピンチアウトがあった場合には、前記第１の表示領域と前記第２の表示領域に表示されるライブビュー画像の倍率を連動して変更するように制御することを特徴とする請求項１または２に記載の撮像制御装置。
【請求項４】
前記制御手段は、１点目のタッチが前記１の表示領域内になされ、２点目のタッチが前記第２の表示領域内になされるマルチタッチがあった場合には、該マルチタッチによるピンチインまたはピンチアウトに応じて、前記第１の撮像領域の位置と前記第２の撮像領域の位置とを、互いに近づく方向または互いに遠ざかる方向に移動するように制御することを特徴とする請求項１乃至３のいずれか１項に記載の撮像制御装置。
【請求項５】
前記制御手段は、横方向への前記移動操作に応じて前記第２の撮像領域を変更することなく前記第１の撮像領域の位置を変更した結果、前記第１の撮像領域に対して、前記移動操作によって前記第１の撮像領域を移動すべき方向に前記第２の撮像領域が隣接した場合には、前記移動操作のタッチが離されずに前記移動操作が更に行われても前記第１の撮像領域と前記第２の撮像領域の双方の位置を変更しないように制御することを特徴とする請求項１乃至４のいずれか１項に記載の撮像制御装置。
【請求項６】
前記第１の表示領域と前記第２の表示領域のうちいずれかを選択する選択手段を更に有することを特徴とする請求項１乃至５のいずれか１項に記載の撮像制御装置。
【請求項７】
前記制御手段は、前記移動操作が横方向にあった場合に、前記２点拡大表示における第１の表示領域と第２の表示領域で表示される範囲にそれぞれ対応する前記第１の撮像領域と前記第２の撮像領域が互いに離れている場合には、前記移動操作のタッチの位置に関わらず、前記選択手段で選択された表示領域に対応する撮像領域の位置を変更するように制御することを特徴とする請求項６に記載の撮像制御装置。
【請求項８】
前記制御手段は、前記第１の表示領域と前記第２の表示領域のうち、前記選択手段で選択されていない領域に対する前記移動操作を伴わない特定のタッチ操作に応じて、前記選択手段で選択する表示領域を切り替えるように制御すること特徴とする請求項６または７に記載の撮像制御装置。
【請求項９】
前記制御手段は、前記第１の表示領域と前記第２の表示領域のうち、前記選択手段で選択されている領域に対する前記移動操作を伴わない特定のタッチ操作に応じて、前記選択手段で選択されている表示領域に表示された被写体に対してＡＦを行うように制御することを特徴とする請求項６乃至８のいずれか１項に記載の撮像制御装置。
【請求項１０】
前記制御手段は、前記第１の表示領域と前記第２の表示領域のうち、前記選択手段で選択されている領域に対する前記移動操作を伴わない特定のタッチ操作に応じて、画像ファイルとして記録する画像の撮影処理を行うように制御することを特徴とする請求項６乃至９のいずれか１項に記載の撮像制御装置。
【請求項１１】
前記特定のタッチ操作は、タッチされた後に前記移動操作とマルチタッチがなされることなくタッチが離される操作であることを特徴とする請求項８乃至１０の何れか１項に記載の撮像制御装置。
【請求項１２】
撮像手段における横方向に異なる位置の第１の撮像領域と第２の撮像領域で撮像されたライブビュー画像を表示手段に並べて表示する２点拡大表示を行うように制御する表示制御手段と、
前記表示手段に対するタッチ操作を検知するタッチ検知手段と、
前記２点拡大表示における、前記第１の撮像領域に対応する第１の表示領域と、前記第２の撮像領域に対応する第２の表示領域のうちいずれかを選択する選択手段と、
前記選択手段で選択されていない領域に対する特定のタッチ操作に応じて、前記選択手段で選択する表示領域を切り替え、
前記選択手段で選択されている領域に対する前記特定のタッチ操作に応じて、前記選択手段で選択されている表示領域に表示された被写体に対してＡＦを行うように制御する制御手段と
を有することを特徴とする撮像制御装置。
【請求項１３】
前記特定のタッチ操作は、タッチの開始であることを特徴とする請求項１２に記載の撮像制御装置。
【請求項１４】
前記特定のタッチ操作は、タッチされた後にタッチしたままタッチいちを移動する操作とマルチタッチが双方なされることなくタッチが離される操作であることを特徴とする請求項１２に記載の撮像制御装置。
【請求項１５】
前記制御手段は、マルチタッチによるピンチインまたはピンチアウトに応じて、前記第１の表示領域と前記第２の表示領域に表示されるライブビュー画像の倍率を連動して変更するように制御することを特徴とする請求項１２乃至１４のいずれか１項に記載の撮像制御装置。
【請求項１６】
撮像手段における横方向に異なる位置の第１の撮像領域と第２の撮像領域で撮像されたライブビュー画像を表示手段に並べて表示する２点拡大表示を行うように制御する表示制御手段と、
前記表示手段に対するタッチ操作を検知するタッチ検知手段と、
マルチタッチによるピンチインまたはピンチアウトに応じて、前記第１の表示領域と前記第２の表示領域に表示されるライブビュー画像の倍率を連動して変更し
マルチタッチを伴わない特定のタッチ操作に応じてＡＦを行うように制御する制御手段と
を有することを特徴とする撮像制御装置。
【請求項１７】
前記制御手段は、所定のタッチ操作に応じて前記２点拡大表示を解除して前記撮像手段で撮像された全体のライブビュー画像を前記表示手段に表示するように制御することを特徴とする請求項１乃至１６のいずれか１項に記載の撮像制御装置。
【請求項１８】
撮像手段における横方向に異なる位置の第１の撮像領域と第２の撮像領域で撮像されたライブビュー画像を表示手段に並べて表示する２点拡大表示を行うように制御する表示制御ステップと、
前記表示手段に対するタッチ操作を検知するタッチ検知ステップと、
前記表示手段にタッチしたまま移動する移動操作が横方向にあった場合に、前記２点拡大表示における第１の表示領域と第２の表示領域で表示される範囲にそれぞれ対応する前記第１の撮像領域と前記第２の撮像領域が互いに離れている場合には、前記移動操作に応じて前記第２の撮像領域を変更することなく前記第１の撮像領域の位置を変更し、
横方向への前記移動操作があった場合に、前記第１の撮像領域に対して、前記移動操作によって前記第１の撮像領域を移動すべき方向に前記第２の撮像領域が隣接している場合には、前記移動操作に応じて前記第１の撮像領域と前記第２の撮像領域の双方の位置を変更するように制御する制御ステップと
を有することを特徴とする撮像制御装置の制御方法。
【請求項１９】
撮像手段における横方向に異なる位置の第１の撮像領域と第２の撮像領域で撮像されたライブビュー画像を表示手段に並べて表示する２点拡大表示を行うように制御する表示制御ステップと、
前記表示手段に対するタッチ操作を検知するタッチ検知ステップと、
前記２点拡大表示における、前記第１の撮像領域に対応する第１の表示領域と、前記第２の撮像領域に対応する第２の表示領域のうちいずれかを選択する選択ステップと、
選択されていない領域に対する特定のタッチ操作に応じて、選択する表示領域を切り替え、
選択されている領域に対する前記特定のタッチ操作に応じて、選択されている表示領域に表示された被写体に対してＡＦを行うように制御する制御ステップと
を有することを特徴とする撮像制御装置の制御方法。
【請求項２０】
撮像手段における横方向に異なる位置の第１の撮像領域と第２の撮像領域で撮像されたライブビュー画像を表示手段に並べて表示する２点拡大表示を行うように制御する表示制御ステップと、
前記表示手段に対するタッチ操作を検知するタッチ検知ステップと、
マルチタッチによるピンチインまたはピンチアウトに応じて、前記第１の表示領域と前記第２の表示領域に表示されるライブビュー画像の倍率を連動して変更し
マルチタッチを伴わない特定のタッチ操作に応じてＡＦを行うように制御する制御ステップと
を有することを特徴とする撮像制御装置の制御方法。
【請求項２１】
コンピュータを、請求項１乃至１７のいずれか１項に記載された撮像制御装置の各手段として機能させるためのプログラム。
【請求項２２】
コンピュータを、請求項１乃至１７のいずれか１項に記載された撮像制御装置の各手段として機能させるためのプログラムを格納したコンピュータが読み取り可能な記憶媒体。
【発明の詳細な説明】
【技術分野】
【０００１】
本発明は、ライブビュー画像の一部分を拡大して表示する技術に関する。
【背景技術】
【０００２】
カメラを使用する際、カメラを水平に構えて撮影することが望ましいケースがある。例えば建物や風景などを撮影する際、カメラが水平でないと撮影された画像が斜めになり違和感が生じる。これに対し、特許文献１では、加速度センサで検出した重力方向に基づいてカメラの姿勢を検出し、検出したカメラの姿勢を示す水準器表示をスル―画像と共に表示する方法が提案されている。また、特許文献２では、ライブビュー画像上の左右方向に離れた２領域をそれぞれ拡大した画像を並べて表示することで、目視での水平合わせを精度よく行えるようにする方法が提案されている。
【先行技術文献】
【特許文献】
【０００３】
【特許文献１】特開２０１２−０６０５６７号広報
【特許文献２】特開２０１６−１６３１０４号広報
【発明の概要】
【発明が解決しようとする課題】
【０００４】
特許文献２では、拡大している２箇所のうち、アクティブな拡大位置（枠）の切り替えや、表示範囲の移動、拡大倍率の変更といった処理を複数の操作部材を操作することで実行している。そのため、処理を実行するための操作部材をユーザーが把握できていない場合、処理の実行に手間取ってしまう場合がある。また、いくつかの操作部材を切り替えながら操作することで、ユーザーの操作が増えてしまう場合もある。また、ハードウェアキーに対する操作の力によってせっかく合わせた姿勢が変わってしまうおそれもある。
【０００５】
本発明は上記課題に鑑み、２点拡大表示における処理をタッチ操作で操作性良く行えるようにした撮像制御装置、撮像制御方法、プログラム及び記録媒体を提供することを目的とする。
【課題を解決するための手段】
【０００６】
上記課題を解決するために、本発明の撮像制御装置は、
撮像手段における横方向に異なる位置の第１の撮像領域と第２の撮像領域で撮像されたライブビュー画像を表示手段に並べて表示する２点拡大表示を行うように制御する表示制御手段と、
前記表示手段に対するタッチ操作を検知するタッチ検知手段と、
前記表示手段にタッチしたまま移動する移動操作が横方向にあった場合に、前記２点拡大表示における第１の表示領域と第２の表示領域で表示される範囲にそれぞれ対応する前記第１の撮像領域と前記第２の撮像領域が互いに離れている場合には、前記移動操作に応じて前記第２の撮像領域を変更することなく前記第１の撮像領域の位置を変更し、
横方向への前記移動操作があった場合に、前記第１の撮像領域に対して、前記移動操作によって前記第１の撮像領域を移動すべき方向に前記第２の撮像領域が隣接している場合には、前記移動操作に応じて前記第１の撮像領域と前記第２の撮像領域の双方の位置を変更するように制御する制御手段と
を有することを特徴とする。
【発明の効果】
【０００７】
本発明によれば、２点拡大表示における処理をタッチ操作で操作性良く行える。
【図面の簡単な説明】
【０００８】
【図１】デジタルカメラ１００の外観を示した図である。
【図２】デジタルカメラ１００の構成ブロック図である。
【図３】撮影モード処理のフローチャートである。
【図４】２点拡大処理のフローチャートである。
【図５】撮影モード処理における表示例である。
【図６】２点拡大処理における表示例である。
【図７】２点拡大におけるタッチ操作処理のフローチャートである。
【図８】２点拡大処理におけるタッチ操作に応じた処理の例である。
【発明を実施するための形態】
【０００９】
以下、図面を参照して本発明の好適な実施形態を説明する。
【００１０】
図１（ａ）、（ｂ）に本発明を適用可能な装置の一例としてのデジタルカメラ１００の外観図を示す。図１（ａ）はデジタルカメラ１００の前面斜視図であり、図１（ｂ）はデジタルカメラ１００の背面斜視図である。図１において、表示部２８は画像や各種情報を表示する、カメラ背面に設けられた表示部である。ファインダー外表示部４３は、カメラ上面に設けられた表示部であり、シャッター速度や絞りをはじめとするカメラの様々な設定値が表示される。シャッターボタン６１は撮影指示を行うための操作部である。モード切替スイッチ６０は各種モードを切り替えるための操作部である。端子カバー４０は外部機器との接続ケーブルとデジタルカメラ１００とを接続する接続ケーブル等のコネクタ（不図示）を保護するカバーである。メイン電子ダイヤル７１は操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は操作部７０に含まれ、操作部７０に含まれる回転操作部材であり、選択枠の移動や画像送りなどを行える。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。ＬＶボタン７６は操作部７０に含まれ、静止画撮影モードおいてライブビュー（以下、ＬＶ）のＯＮとＯＦＦを切り替えるボタンである。動画撮影モードにおいては、動画撮影（記録）の開始、停止の指示に用いられる。拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は操作部７０に含まれ、拡大された再生画像の拡大率を低減させ、表示された画像を縮小させるためのボタンである。再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。クイックリターンミラー１２は、システム制御部５０から指示されて、不図示のアクチュエータによりアップダウンされる。通信端子１０はデジタルカメラ１００がレンズ側（着脱可能）と通信を行う為の通信端子である。接眼ファインダー１６はフォーカシングスクリーン１３を観察することで、レンズユニット１５０を通して得た被写体の光学像の焦点や構図の確認を行うための覗き込み型のファインダーである。蓋２０２は記録媒体２００を格納したスロットの蓋である。グリップ部９０は、ユーザーがデジタルカメラ１００を構えた際に右手で握りやすい形状とした保持部である。
【００１１】
図２は、本実施形態によるデジタルカメラ１００の構成例を示すブロック図である。
【００１２】
図２において、レンズユニット１５０は、交換可能な撮影レンズを搭載するレンズユニットである。
【００１３】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１の制御を行い、ＡＦ駆動回路３を介して、レンズ１０３の位置を変位させることで焦点を合わせる。
【００１４】
ＡＥセンサー１７は、レンズユニット１５０を通した被写体の輝度を測光する。
【００１５】
焦点検出部１１は、システム制御部５０にデフォーカス量情報を出力する。システム制御部５０はそれに基づいてレンズユニット１５０を制御し、位相差ＡＦを行う。
【００１６】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダー１６側と撮像部２２側とに切替えるためのミラーである。ミラー１２は通常時はファインダー１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００１７】
撮影者は、ペンタプリズム１４とファインダー１６を介して、フォーカシングスクリーン１３を観察することで、レンズユニット１５０を通して得た被写体の光学像の焦点や構図の確認が可能となる。
【００１８】
シャッター１０１は、システム制御部５０の制御で撮像部２２の露光時間を自由に制御できるフォーカルプレーンシャッターである。
【００１９】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２０】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２１】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２２】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。
【００２３】
ファインダー内液晶表示部４１には、ファインダー内表示部駆動回路４２を介して、現在オートフォーカスが行われている測距点を示す枠（ＡＦ枠）や、カメラの設定状態を表すアイコンなどが表示される。
【００２４】
ファインダー外表示部４３には、ファインダー外表示部駆動回路４４を介して、シャッター速度や絞りをはじめとするカメラの様々な設定値が表示される。
【００２５】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２６】
システム制御部５０は、少なくとも１つのプロセッサーを有する制御部であり、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１９、表示部２８等を制御することにより表示制御も行う。
【００２７】
システムタイマー５３は各種制御に用いる時間や、内蔵された時計の時間を計測する計時部である。
【００２８】
モード切替スイッチ６０、第１シャッタースイッチ６２、第２シャッタースイッチ６４、操作部７０はシステム制御部５０に各種の動作指示を入力するための操作手段である。
【００２９】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、これらのモードのいずれかに直接切り替えられる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００３０】
第１シャッタースイッチ６２は、デジタルカメラ１００に設けられた撮影操作部材であるシャッターボタン６１の操作途中、いわゆる半押し（第一操作・撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３１】
第２シャッタースイッチ６４は、シャッターボタン６１の操作完了、いわゆる全押し（第二操作・撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３２】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタン７０ｅが押されると各種の設定可能なメニュー画面が表示部２８に表示される。ユーザーは、表示部２８に表示されたメニュー画面と、上下左右の４方向ボタンやＳＥＴボタンとを用いて直感的に各種設定を行うことができる。
【００３３】
操作部７０は、ユーザーからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。十字キー７４は、十字キー７４における上、下、右、左の各部を押し込み可能な方向ボタンである。本実施形態では一体的な操作部として説明しているが、上ボタン、下ボタン、右ボタン、左ボタンがそれぞれ独立したボタンであってもよい。以下、上、または下部分を上下キー、左または右部分を左右キーと称する。また、操作部７０には以下の操作部も含まれる。
【００３４】
ＡＦ−ＯＮボタン７０ｂは、操作部７０に含まれる押しボタンスイッチであり、押下することでＡＦの実行を指示することができる。ＡＦ−ＯＮボタン７０ｂの押下方向は、レンズ１０３から撮像部２２に入射する被写体光の方向（光軸）と平行である。
【００３５】
クイック設定ボタン７０ｃ（以下、Ｑボタン７０ｃ）は、操作部７０に含まれる押しボタンスイッチであり、押下することで、各動作モードにおいて設定可能な設定項目の一覧であるクイック設定メニューが表示される。例えばライブビュー撮影での撮影待機中に押下されると、電子先幕シャッター、モニターの明るさ、ＬＶ画面のＷＢ、２点拡大、無音撮影などの設定項目の一覧がＬＶに重畳して１列に表示される。ユーザーは表示されたクイック設定メニューの内、任意の選択肢を上下キーで選択してセットボタンを押下することで、選択した設定項目に関する設定変更や動作モードへの移行を行うことができる。
【００３６】
アクティブ枠切替ボタン７０ｄは、操作部７０に含まれる押しボタンスイッチであり、後述する２点拡大処理において押下することで、拡大している２箇所のうち、アクティブな拡大位置（枠）を切り替えることができる。また、動作モードによって異なる機能が割り当てられており、再生モードにおいて押下すると、表示している画像にプロテクト属性を付与することができる。
【００３７】
メニューボタン７０ｅは、操作部７０に含まれる押しボタンスイッチであり、各種の設定が可能なメニュー画面が表示部２８に表示される。
【００３８】
ファンクションボタン７０ｆは、操作部７０に含まれる３つの押しボタンスイッチであり、それぞれ機能が割り当てられている。ファンクションボタン７０ｆのそれぞれは、グリップ部９０を保持する右手の指（中指または薬指または小指）によって操作可能な位置に配置されており、押下方向はレンズ１０３から撮像部２２に入射する被写体光の方向（光軸）と平行である。
【００３９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００４０】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００４１】
通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００４２】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。
【００４３】
なお操作部７０の一つとして、表示部２８に対する接触を検知可能なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネル７０ａにおける入力座標と、表示部２８上の表示座標とを対応付ける。これにより、恰もユーザーが表示部２８上に表示された画面を直接的に操作可能であるかのようなＧＵＩ（グラフィカルユーザーインターフェース）を構成することができる。システム制御部５０はタッチパネル７０ａへの以下の操作。あるいは状態を検出できる。
【００４４】
・タッチパネル７０ａにタッチしていなかった指やペンが新たにタッチパネル７０ａにタッチしたこと。すなわち、タッチの開始（以下、タッチダウン（Ｔｏｕｃｈ−Ｄｏｗｎ）と称する）。
・タッチパネル７０ａを指やペンでタッチしている状態であること（以下、タッチオン（Ｔｏｕｃｈ−Ｏｎ）と称する）。
・タッチパネル７０ａを指やペンでタッチしたまま移動していること（以下、タッチムーブ（Ｔｏｕｃｈ−Ｍｏｖｅ）と称する）。
・タッチパネル７０ａへタッチしていた指やペンを離したこと。すなわち、タッチの終了（以下、タッチアップ（Ｔｏｕｃｈ−Ｕｐ）と称する）。
・タッチパネル７０ａに何もタッチしていない状態（以下、タッチオフ（Ｔｏｕｃｈ−Ｏｆｆ）と称する）。
【００４５】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００４６】
これらの操作・状態や、タッチパネル７０ａ上に指やペンがタッチしている位置座標は内部バスを通じてシステム制御部５０に通知され、システム制御部５０は通知された情報に基づいてタッチパネル７０ａ上にどのようなタッチ操作が行なわれたかを判定する。タッチムーブについてはタッチパネル７０ａ上で移動する指やペンの移動方向についても、位置座標の変化に基づいて、タッチパネル７０ａ上の垂直成分・水平成分毎に判定できる。所定距離以上をタッチムーブしたことが検出された場合はスライド操作が行なわれたと判定するものとする。タッチパネル上に指をタッチしたままある程度の距離だけ素早く動かして、そのまま離すといった操作をフリックと呼ぶ。フリックは、言い換えればタッチパネル７０ａ上を指ではじくように素早くなぞる操作である。所定距離以上を、所定速度以上でタッチムーブしたことが検出され、そのままタッチアップが検出されるとフリックが行なわれたと判定できる（スライド操作に続いてフリックがあったものと判定できる）。更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。タッチパネル７０ａは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００４７】
図３は、デジタルカメラ１００の撮影待機中の処理の流れを示すフローチャートである。この処理は、不揮発性メモリ５６に記録されたプログラムをシステムメモリ５２に展開してシステム制御部５０が実行することで実現する。デジタルカメラ１００が撮影モードで起動され、ライブビュー撮影がオンとなると図３の処理を開始する。
【００４８】
Ｓ３０１において、システム制御部５０は、表示部２８に撮影待機画面を表示する。図５（ａ）に撮影待機画面の表示例を示す。撮影待機画面にはライブビュー画像５０１（ＬＶ画像５０１）が表示される。また、ＬＶ画像５０１に重畳して、現在の撮影モードを示すアイコン５０２や撮影設定に関する情報表示５０３が表示される。
【００４９】
図５（ｂ）に、撮影待機画面の別の情報の表示例を示す。ライブビュー画像５０１に重畳して水準器５０５を表示することによって簡易的にカメラの水平を合わせることが可能になる。水準器５０５は、姿勢検知部５５で検出されたデジタルカメラ１００の重力方向に対する姿勢を示す電子水準器である。デジタルカメラ１００の左右方向（撮像部２２の左右方向）の、重力方向と垂直な方向（水平方向）に対する傾きを示している。水準器５０５を見ながらこの傾きがゼロになるようにデジタルカメラ１００の姿勢を調整することで水平な画像を得ることができる。また、デジタルカメラの光軸方向（撮像部２２への被写体光の入射方向）の重力方向と垂直な方向（水平方向）に対する向きである、仰角、俯角を示す。図５（ａ）の表示状態と、図５（ｂ）の表示状態は、操作部７０に含まれる情報切替ボタン（ＩＮＦＯボタン）の押下に応じて切り替えることができる。また、情報切替ボタンの押下に応じて、更に、ライブビュー画像５０１を表示し、アイコン５０２、撮影設定に関する情報表示５０３、露出に関する情報５０４を表示しない表示状態にも切替られるものとする。
【００５０】
Ｓ３０２では、システム制御部５０は、ＡＦ−ＯＮボタン７０ｂが押下されたか否かを判定する。ＡＦ−ＯＮボタン７０ｂが押下された場合はＳ３０３に進み、そうでない場合はＳ３０６に進む。Ｓ３０３では、システム制御部５０はＡＦを実行する。さらにＳ３０４ではＡＦ合焦時の表示を行う。ＡＦ合焦時の画面例を図５（ｃ）に示す。ライブビュー画像５０１の上に重畳されて、ピントが合った被写体部分に合焦を示す枠４０６が表示される。なお、ＡＦを実行した結果合焦しなかった場合は合焦失敗を示す表示をする。
【００５１】
Ｓ３０５では、システム制御部５０はＡＦ−ＯＮボタン７０ｂの押下状態が保持されているか否かを判断する。ＡＦ−ＯＮボタン７０ｂの押下状態が保持されている場合はＡＦ合焦画面の表示を続け、ＡＦ−ＯＮボタン７０ｂが離されたと判断した場合はＡＦ合焦状態画面を解除し撮影待機画面に戻る。
【００５２】
Ｓ３０６ではシステム制御部５０はＱボタン７０ｃが押されたか否かを判定する。Ｑボタン７０ｃが押下された場合はＳ３０７に進み、そうでない場合はＳ３１３に進む。Ｓ３０７では、システム制御部５０は、表示部２８にクイック設定メニューを表示する。図５（ｄ）に、クイック設定メニューの表示例を示す。ライブビュー画像５０１に重畳してクイック設定メニュー５１０が表示される。クイック設定メニュー５１０には、それぞれ異なる項目を示すアイコン群が並べて表示され、選択状態となったアイコンにはカーソル５１１が表示される。カーソル５１１は十字キー７４の上下操作により移動することができる。
【００５３】
Ｓ３０８では、システム制御部５０は、クイック設定メニュー５１０に表示された複数の項目のうち、２点拡大の項目を示すアイコンにカーソル５１１が当たった状態（図５（ｅ）で示す状態）で、ＳＥＴボタン７５が押下されたか否かを判定する。すなわち、２点拡大の項目が選択されたか否かを判定する。２点拡大の項目が選択されたと判定した場合はＳ３０９に進み、そうでない場合にはＳ３１０に進む。Ｓ３０９では、２点拡大の処理が行う。２点拡大処理については図４を用いて後述する。
【００５４】
Ｓ３１０では、システム制御部５０は。２点拡大処理以外の他の項目が選択されたか否かを判定し、選択されたと判定した場合はＳ３１１に進み、そうでない場合はＳ３１２に進む。Ｓ３１１において、システム制御部５０は２点拡大処理以外の選択された項目に応じた処理を行う。例えば、ＬＣＤ（表示部２８）の明るさの調整の項目が選択された場合は、ＬＣＤの明るさの調整画面を表示部２８に表示し、ユーザーからの操作に応じて表示部２８の明るさを調整する。
【００５５】
Ｓ３１２では、システム制御部５０は、Ｑボタン７０ｃが押下されたか否か判定する。Ｑボタン７０ｃが押下された場合はクイック設定メニューの表示を終了させ、そうでない場合はＳ３０８に戻って処理を繰り返す。
【００５６】
Ｓ３１３では、システム制御部５０はシャッターボタン６１が半押しされ、ＳＷ１がオンとなったか否かを判定する。ＳＷ１がオンとなった場合はＳ３１４に進み、そうでない場合はＳ３１９に進む。Ｓ３１４では、システム制御部５０はＡＦを実行する。また、ＡＦのほかに、ＡＥ（自動露出）などの撮影準備処理を設定に応じて行う。Ｓ３１５では。システム制御部５０は、ＡＦの結果合焦した場合はＡＦ合焦時の表示を行う。Ｓ３１６において、システム制御部５０は、第１シャッタースイッチの押下状態（ＳＷ１オンの状態）が保持されているか否かを判定する。ＳＷ１のオンが保持されている場合はＳ３１７に進み、保持されていない、すなわちシャッターボタン６１の半押し状態が解除された場合はＡＦ合焦状態を解除しＳ３０１に戻る。Ｓ３１７では、システム制御部５０は、シャッターボタン６１が全押しされ、ＳＷ２がオンとなったか否かを判定する。ＳＷ２がオンとなった場合はＳ３１８に進み、そうでない場合はＳ３１６に進む。Ｓ３１８では、システム制御部５０はＳＷ２のオンに応じて、前述の撮影処理（撮像部２２からの信号読み出しから記録媒体２００に画像ファイルを書き込むまでの一連の撮影処理）を行う。クイックレビューがオンに設定されていた場合は、撮影処理の後に撮影されたばかりの画像を自動的に所定時間表示部２８に表示し、ユーザーが撮影の確認を行えるようにする。撮影処理を終えるとＳ３０１に戻る。
【００５７】
Ｓ３１９では、システム制御部５０はモード切り換えイベントがあったか否かを判定する。モード切替のイベントがあった場合は撮影モード処理を終了し、そうでない場合はＳ３０２に戻って処理を繰り返す。モード切替のイベントには、電源オフ、ライブビューモードの終了（光学ファインダ撮影のモードへの切替）、再生モードへの切替、などがあるものとする。
【００５８】
図４は、前述のＳ３０９の２点拡大処理の詳細を示すフローチャートである。この処理は、不揮発性メモリ５６に記録されたプログラムをシステムメモリ５２に展開してシステム制御部５０が実行することで実現する。
【００５９】
Ｓ４０１では、システム制御部５０は、表示部２８において２点拡大表示を行う。図６（ａ）に、２点拡大表示の表示例を示す。２点拡大では、左右方向（水平方向、横方向）、または、上下方向（垂直方向、縦方向）に離れた二つの領域のライブビュー画像を一画面に並べて表示する。図６（ａ）は、左右方向に離れた２つの領域のライブビュー画像を１画面に並べて表示した例である。左側領域６０１は、撮像部２２の左側の一部の領域で撮像されているライブビュー画像を表示する表示領域である。右側領域６０２は、撮像部２２の右側の一部の領域で撮像されているライブビュー画像を表示する表示領域である。左側領域６０１と右側領域６０２に表示されたライブビュー画像は、撮像部２２のうち同じ高さの領域となっている。アクティブ枠６０３は、左側領域６０１と右側領域６０２のうち、現在操作対象となっている領域（アクディブ領域）を示す選択枠である。図６（ａ）では左側領域６０１にアクティブ枠６０３が付されており、左側領域６０１が左右移動、ＡＦなどの対象となっている。補助線６０４は、左側領域６０１の左右中央、上下中央にそれぞれ表示される補助線であり、交点が左側領域６０１の中心である。右側領域６０２にもの同様に上下中央、左右中央の補助線が表示される。中央マーカー６０５は、アクティブ枠側に表示されるマーカーであり、アクティブ枠である左側領域６０１の中心を示している。アクティブ枠の中心部分は補助線６０４、中央マーカー６０５ともに表示されておらず、中心に位置する被写体が確認できるようになっている。ガイド６０６は２点拡大を解除するための操作部材（操作方法）を示すガイダンス表示である。ガイド６０７はアクティブ枠を切り替えるための操作部材（操作方法）を示すガイダンス表示である。拡大位置ガイド６１０は、撮像範囲全体（撮像部２２で撮像されているライブビュー画像全体、撮像指示によって撮像される静止画に写る撮影範囲全体）における、左側領域６０１と右側領域６０２に拡大表示している部分を示すガイドである。すなわち、撮像範囲の全体に対する、左側領域６０１と右側領域６０２に対応する２つの撮像領域の位置とサイズを示すガイドである。左側インジケーター６１１は撮像範囲全体に対する左側領域６０１に表示されているライブビュー画像の範囲を示している。右側インジケーター６１２は撮像範囲全体に対する右側領域６０２に表示されているライブビュー画像の範囲を示している。左側領域６０１にアクティブ枠６０３があることがわかるように、左側インジケーター６１１は右側インジケーター６１２と異なる色または太さで表示されている。ガイド６０６、ガイド６０７、拡大位置ガイド６１０は、アクティブ枠６０３のある領域のライブビュー画像の視認の妨げとならないように、アクティブ枠６０３の無い方の領域（非アクティブ枠）のライブビュー画像に重畳して表示される。
【００６０】
Ｓ４０２では、システム制御部５０は、拡大ボタン７７の押下または縮小ボタン７８の押下（拡大／縮小指示）があったか否かを判定する。拡大ボタン７７の押下または縮小ボタン７８の押下があった場合はＳ４０３に進み、そうでない場合はＳ４０４に進む。
【００６１】
Ｓ４０３では、システム制御部５０は、操作に応じて２点拡大しているＬＶ画像の倍率を変更する。拡大ボタン７７が押下された場合は左側領域６０１、右側領域６０２に表示されるＬＶ画像を操作前の倍率よりもそれぞれ拡大し、同じ拡大倍率とする（左右連動して拡大する）。縮小ボタン７８が押下された場合は左側領域６０１、右側領域６０２に表示されるＬＶ画像を操作前の倍率よりもそれぞれ縮小し、同じ拡大倍率とする。変更された拡大倍率はシステムメモリ５２に記録し、一旦２点拡大が解除された場合も、電源がオフとならずに再度２点拡大表示がされた場合は同じ拡大倍率から表示する。図６（ｂ）に、図６（ａ）の状態から拡大ボタン７７が押下されて拡大された場合の表示例を示す。左側領域６０１と右側領域６０２に表示されたライブビュー画像は、それぞれ図６（ａ）よりも図６（ｂ）の方が拡大している。また、拡大した分、撮像範囲全体のうち表示される範囲は狭まるため、拡大位置ガイド６１０に表示された左側インジケーター６１１と右側インジケーター６１２は、それぞれ図６（ａ）よりも図６（ｂ）の方が小さくなっている。
【００６２】
Ｓ４０４では、システム制御部５０は、アクティブ枠切替ボタン７０ｄが押下されたか否かを判定する。アクティブ枠切り替えボタン７０が押下された場合はＳ４０５に進み、そうでない場合はＳ４０６に進む。
【００６３】
Ｓ４０６では、システム制御部５０は、操作前にアクティブ枠６０３があった領域から他方の領域にアクティブ枠６０３を移動する。図６（ｃ）に、図６（ｂ）の状態からアクティブ枠切り替えボタン７０が押下され、アクティブ枠６０３を移動した場合の表示例を示す。図６（ｂ）で左側領域６０１にあったアクティブ枠６０３は、図６（ｃ）では右側領域６０２に切り替わっている。また、ガイド６０６、ガイド６０７、拡大位置ガイド６１０は、非アクティブ枠である左側領域６０１に重畳する位置に移動している。
【００６４】
Ｓ４０６では、システム制御部５０は、十字キー７４のうち左右キーが操作されたか否かを判定する。左右キーが操作された場合はＳ４０７に進み、そうでない場合はＳ４０８に進む。
【００６５】
Ｓ４０７では、システム制御部５０は、左右キーの操作に応じてアクティブ枠６０３のある方の領域の表示範囲を左右に移動する。すなわち、左ボタンが押下された場合はアクティブ枠６０３のある方の領域の表示範囲を左に移動し、右ボタンが押下された場合はアクティブ枠６０３のある方の領域の表示範囲を右に移動する。図６（ｄ）に、図６（ｃ）の状態から右ボタンが何度か押下された場合の表示例を示す。アクティブ枠６０３のある右側領域６０２に表示される拡大領域が、図６（ｃ）よりも図６（ｄ）の方が撮像範囲のうち右側に移動している（従って映像自体は右から左にスクロール移動する）。この時、非アクティブ枠である左側領域６０１の表示範囲は変更されない（左右領域が接していない場合の左右移動は非連動）。拡大位置ガイド６１０において、右側領域６０２の表示範囲がより右に移動したことが分かるように、右側インジケーター６１２は図６（ｃ）よりも図６（ｄ）の方が右に移動している。変更された表示範囲（表示位置）はシステムメモリ５２に記録し、一旦２点拡大が解除された場合も、電源がオフとならずに再度２点拡大表示がされた場合は同じ表示範囲を２点拡大表示する。なお、左側領域６０１の表示範囲の右端が右側領域６０２の表示範囲の左端と接している場合は、アクティブ枠が左側領域６０１であっても、更に右に移動する指示に応じて左側領域６０１と右側領域６０２の表示範囲を双方連動して右側に移動する。ただし、右側領域６０２が撮像範囲全体の右端に達した場合はそれ以上右に移動できないため、更に右に移動する指示があっても移動しない。逆に、右側領域６０２の表示範囲の左端が左側領域６０１の表示範囲の右端と接している場合は、アクティブ枠が右側領域６０２であっても、更に左に移動する指示に応じて左側領域６０１と右側領域６０２の表示範囲を双方連動して左側に移動する。ただし、左側領域６０１が撮像範囲全体の左端に達した場合はそれ以上左に移動できないため、更に左に移動する指示があっても移動しない。
【００６６】
Ｓ４０８では、システム制御部５０は、十字キー７４のうち上下キーが操作されたか否かを判定する。上下キーが操作された場合はＳ４０９に進み、そうでない場合はＳ４１０に進む。
【００６７】
Ｓ４０９では、システム制御部５０は、上下キーの操作に応じて左側領域６０１と右側領域６０２の表示範囲を連動して上下に移動する。すなわち、上ボタンが押下された場合は左側領域６０１と右側領域６０２の表示範囲を連動して上に移動し、下ボタンが押下された場合は左側領域６０１と右側領域６０２の表示範囲を連動して下に移動する。図６（ｅ）に、図６（ｄ）の状態から上ボタンが何度か押下された場合の表示例を示す。左側領域６０１と右側領域６０２のそれぞれの表示範囲が、図６（ｄ）よりも図６（ｅ）の方が撮像範囲のうち上側に移動している（従って映像自体は上から下にスクロール移動する）。拡大位置ガイド６１０において、左側領域６０１と右側領域６０２の表示範囲がより上に移動したことが分かるように、左側インジケーター６１１と右側インジケーター６１２は図６（ｄ）よりも図６（ｅ）の方が上に移動している。変更された表示範囲（表示位置）はシステムメモリ５２に記録し、一旦２点拡大が解除された場合も、電源がオフとならずに再度２点拡大表示がされた場合は同じ表示範囲を２点拡大表示する。
【００６８】
以上のような操作を繰り返し、２点拡大での表示範囲を、地平線、水平線、建物の横の輪郭線などの離れた２箇所に設定し、左右領域の被写体の線を一致させるようにカメラの姿勢を調整して撮影することで、被写体の線が水平に写る画像を撮影することができる。図６（ｆ）に、２点拡大表示において、左側領域６０１を水平線６２１を含む被写体部分に設定し、右側領域６０２を、水平線６２１と離れた位置の水平線６２２を含む被写体部分に設定した場合の表示例を示す。水平線は本来は直線であるが、図６（ｆ）の例では、左側領域６０１に写った水平線６２１と右側領域６０２に写った水平線６２２は繋がった直線には見えず、少しすれている。このような表示を見ることで、ユーザーはデジタルカメラ１００が水平に構えられてないことを識別することができる。ユーザーは、水平線６２１と水平線６２２が１本の直線として視認できるような姿勢にデジタルカメラ１００の姿勢を調整して撮影することで、水平線が水平に写った画像を得ることができる。
【００６９】
Ｓ４１０では、システム制御部５０は、シャッターボタン６１が半押しされてＳＷ１がオンとなったか否かを判定する。ＳＷ１がオンとなった場合はＳ４１１に進み、そうでない場合はＳ４１５へ進む。
【００７０】
Ｓ４１１では、システム制御部５０は、２点拡大を解除することなく、アクティブ枠の中央部（中央マーカー６０５が示す位置）に対してＡＦを行う。ＡＦの結果合焦すると、ＳＷ１オンが保持されている間はピントが固定（ＡＦロック）される。
【００７１】
Ｓ４１２では、システム制御部５０は、ＳＷ１のオンが保持されているか否かを判定する。ＳＷ１オンが保持されている場合はＳ４１３に進み、そうでない場合はＡＦロック状態を解除してＳ４０２に進む。
【００７２】
Ｓ４１３では、システム制御部５０は、シャッターボタン６１の全押しがなされＳＷ２がオンとなったか否かを判定する。ＳＷ２がオンとなった場合はＳ４１４に進み、そうでない場合はＳ４１２に進む。
【００７３】
Ｓ４１４では、システム制御部５０は、前述の撮影処理（撮像部２２からの信号読み出しから記録媒体２００に画像ファイルを書き込むまでの一連の撮影処理）を行う。撮影処理によって撮像される画像は、２点拡大表示している範囲ではなく、撮像範囲の画像である。撮影処理を終えるとＳ４０２に戻る。なお、撮影処理が終了した場合、Ｓ４０２に戻らずに、２点拡大を解除して撮像範囲全体のライブビュー表示（等倍表示）に復帰しても良い（すなわちＳ３０１に進んでもよい）。
【００７４】
Ｓ４１５では、システム制御部５０は、タッチパネル７０ａに対するタッチ操作が有効に設定されているか否かを判定する。タッチパネルを有効とするか無効とするかは予め設定メニュー画面からユーザーが設定しておけるものとする。タッチ操作を有効に設定した場合はタッチ操作によって各種の操作が行える。タッチ操作を無効に設定した場合は、誤ったタッチによる誤動作を防止できるとともに、タッチパネル７０ａでのタッチ検知動作を停止することにより消費電力を削減できる。タッチ操作が有効に設定されている場合はＳ４１８に進み、そうでない場合（無効の場合）はＳ４１６に進む。
【００７５】
Ｓ４１６では、システム制御部５０は、２点拡大の終了ボタンが押下されたか否かを判定する。２点拡大の終了ボタンは、本実施形態ではＱボタン７０ｃである。Ｑボタン７０ｃが押下された場合はＳ４１７に進み、そうでない場合はＳ４０２に戻って処理を繰り返す。
【００７６】
Ｓ４１７では、システム制御部５０は、２点拡大表示を解除してライブビュー画像の全体表示に戻し、２点拡大処理を終了し、図３のＳ３０１に進む。
【００７７】
Ｓ４１８では、システム制御部５０は、タッチ操作に応じたタッチ操作処理を行う。タッチ操作処理の詳細は図７を用いて後述する。
【００７８】
Ｓ４１９では、システム制御部５０は、前述のタッチ処理において、２点拡大が終了したか否かを判定する。２点拡大が終了している場合はＳ４１７へ進み、そうでない場合はＳ４０２に進む。
【００７９】
図７は、前述のＳ４１８の、２点拡大処理中のタッチ操作に応じた処理であるタッチ操作処理の詳細を示すフローチャートである。この処理は、不揮発性メモリ５６に記録されたプログラムをシステムメモリ５２に展開してシステム制御部５０が実行することで実現する。
【００８０】
Ｓ７０１では、システム制御部５０は、タッチパネル７０ａに対するタッチダウンがあったかか否かを判定する。これはタッチパネル７０ａに対する１点目のタッチダウンがあったか否かの判定である。タッチダウンがあった場合はＳ７０２に進み、そうでない場合はタッチ操作は行われていないため、タッチ操作処理を終了して図４のＳ４１８に進む。
【００８１】
Ｓ７０２では、システム制御部５０は、タッチパネル７０ａにおけるタッチダウンによる入力座標（タッチダウン位置）をシステムメモリ５２に記憶する。システムメモリ５２に記憶する情報は、入力座標に限定されるものではなく、タッチダウンされた位置が左側領域６０１と右側領域６０２のどちらに含まれるかが判断可能となる情報であればよい。
【００８２】
Ｓ７０３では、システム制御部５０は、タッチムーブがあったか否かを判定する。タッチアップを検出することなく（すなわちタッチされたまま）、タッチダウン位置からタッチムーブ用の閾値を超えるタッチ位置の移動があった場合にタッチムーブがあったと判定するものとする。タッチムーブがあった場合はＳ７０４に進み、そうでない場合はＳ７１０に進む。
【００８３】
Ｓ７０４では、システム制御部５０は、システムメモリ５２に配置されたムーブフラグ変数へ１を代入する。タッチムーブされたことを記憶できれば、ムーブフラグ変数への代入に限定されるものではなく、タッチムーブされたか否かが判定可能となる情報であればよい。
【００８４】
Ｓ７０５では、システム制御部５０は、タッチムーブでの移動方向が上下方向（上または下方向）か否かを判定する。タッチダウン位置からのタッチ位置の移動量がタッチムーブ用の閾値に達した時点、あるいは移動方向判定用の別の閾値に達した時点で、タッチダウン位置と現在のタッチ位置との座標の各成分の差分を算出する。そして横方向成分（ｘ成分）の移動量と、縦方向成分（ｙ成分）の移動量とを比較し、縦方向成分（ｙ成分）の移動量の方が大きい場合に移動方向が上下方向であると判定する。そうでない場合（横方向成分（ｘ成分）の移動量の方が大きい場合）に移動方向が左右方向であると判定する。あるいは、横方向成分（ｘ成分）の移動量の閾値１と、縦方向成分（ｙ成分）の閾値２とを設け、タッチダウン位置から、閾値１を満たすことなく閾値２に達した場合（すなわち、先に閾値２に達した場合）に移動方向が上下方向であると判定してもよい。この判定方法の場合、タッチダウン位置から、閾値２を満たすことなく閾値１に達した場合（すなわち、先に閾値１に達した場合）に移動方向が左右方向であると判定する。移動方向が一度上下方向であると判定されると、タッチアップがなされるまでは、横方向（左右方向）の移動があっても横方向の移動成分に応じた処理は行わないものとする。逆に、移動方向が一度左右方向であると判定されると、タッチアップがなされるまでは、縦方向（上下方向）の移動があっても縦方向の移動成分に応じた処理は行わないものとする。移動方向が上下方向の場合はＳ７０６に進み、そうでない場合（移動方向が左右方向である場合）はＳ７０７に進む。
【００８５】
Ｓ７０６では、システム制御部５０は、タッチムーブでの上下方向への移動操作に応じて左側領域６０１と右側領域６０２の表示範囲を連動して上下に移動する。すなわち、タッチムーブでの移動操作が上方向の場合は左側領域６０１と右側領域６０２の表示範囲を連動して下に移動する（映像自体は下から上にスクロール移動する）。これによって、例えば図６（ｅ）から図６（ｄ）のように表示が遷移する。逆に、タッチムーブでの移動操作が下方向の場合は左側領域６０１と右側領域６０２の表示範囲を連動して上に移動する（映像自体は上から下にスクロール移動する）。これによって、例えば図６（ｄ）から（ｅ）のように表示が遷移する。
【００８６】
Ｓ７０７では、システム制御部５０は、タッチムーブでの左右方向への移動操作に応じてアクティブ枠６０３がある方の領域を移動させるべき方向に非アクティブ枠の領域が接している（隣接している）か否かを判定する。例えば、図８（ａ）のような状況は、撮像範囲全体における左側領域６０１の表示範囲と右側領域６０２の表示範囲は接していない（左側インジケーター６１１と右側インジケーター６１２は接しておらず間隔がある）。言いかえれば、左側領域６０１と右側領域６０２で表示される範囲にそれぞれ対応する左側の撮像領域と右側の撮像領域が互いに離れている。図８（ｃ）のような状況は、撮像範囲全体における左側領域６０１の表示範囲の右側と右側領域６０２の表示範囲の左側が接している（左側インジケーター６１１と右側インジケーター６１２が接している）。言いかえれば、左側領域６０１に表示される範囲に対応する左側の撮像領域に対して右側に右側領域６０２に表示される範囲に対応する右側の撮像領域が隣接している。そのため、左側領域６０１に表示されるライブビュー画像と、右側領域６０２に表示されるライブビュー画像は左右に連続した（繋がった）映像となる。この場合に、左へのタッチムーブがあると、アクティブ枠６０３のある左側領域６０１の表示範囲（対応する撮像領域）を移動させるべき方向が右となり、右側には右側領域６０２の表示範囲が接しているため、Ｓ７０７の判定はＹｅｓとなる。アクティブ枠６０３がある方の領域が移動する方向に非アクティブ枠の領域が接している場合はＳ７０９に進み、そうでない場合はＳ７０８に進む。
【００８７】
Ｓ７０８では、システム制御部５０は、タッチムーブでの左右方向への移動操作に応じてアクティブ枠６０３のある方の領域の表示範囲（表示される範囲に対応する撮像領域）を左右に移動する。すなわち、タッチムーブでの移動操作が右方向の場合はアクティブ枠６０３のある方の領域の表示範囲（対応する撮像領域）を左に移動する（映像自体は左から右にスクロール移動する）。逆に、タッチムーブでの移動操作が左方向の場合はアクティブ枠６０３のある方の領域の表示範囲（対応する撮像領域）を右に移動する（映像自体は右から左にスクロール移動する）。なお、タッチダウン位置及び現在のタッチ位置が左側領域６０１と右側領域６０２のいずれであるかかに関わらず、ここで表示範囲（対応する撮像領域）が変更されるのはアクティブ枠６０３のある領域である。例えば、図８（ａ）のような状態から、指Ｆでタッチして左へタッチムーブすると、図８（ｂ）のように表示が遷移し、アクティブ枠６０３のある左側領域６０１の表示範囲が右に移動（部分ライブビュー画像は左に移動）する。左側領域６０１の表示範囲と右側領域６０２の表示範囲は撮像範囲において接していないので、非アクティブ枠である右側領域６０２の表示範囲は移動しない。
【００８８】
なお、図８（ｂ）の状態からタッチを離さずに更に左にタッチムーブすると、左側領域６０１の表示範囲が更に右に移動して右側領域６０２の表示範囲と接し（左側インジケーター６１１と右側インジケーター６１２が接し）、図８（ｄ）のような状況になる。この状況になったら、タッチを離さずに更に左にタッチムーブをしても、左側領域６０１の表示範囲と右側領域６０２の表示範囲のいずれも移動しないものとする。すなわち、アクティブ枠６０３のある方の領域の表示範囲を左右に移動する処理中に非アクティブ枠の領域の表示範囲と接した場合は、非アクティブ枠の領域の表示範囲方向への移動指示があっても移動しない。言いかえれば、アクティブ枠のある領域の表示範囲の移動中に他方の領域の表示範囲に突き当たった場合は移動が停止する。このようにすることで、表示範囲を調整済みの非アクティブ枠のある領域の表示範囲が意図せず変わってしまうことを防止することができる。なお、一旦タッチを離してから再度同じ方向にタッチムーブした場合には、後述するＳ７０９の処理により、左側領域６０１の表示範囲と右側領域６０２の表示範囲を連動して移動させる。なお、タッチムーブによってアクティブ枠のある領域の表示範囲の移動中に他方の領域の表示範囲に突き当たった場合にも、移動を停止せずに、左側領域６０１の表示範囲と右側領域６０２の表示範囲を連動して移動させるようにしてもよい。Ｓ７０９では、システム制御部５０は、タッチムーブでの左右方向への移動操作に応じてアクティブ枠６０３がある方の領域の表示範囲と非アクティブ枠の領域の表示範囲を双方連動して左右方向へ移動する。言いかえれば、タッチムーブでの左右方向への移動操作に応じて、左側領域６０１の表示範囲に対応する撮像領域と右側領域６０２に対応する撮像領域との双方の位置を変更する。すなわち、タッチムーブでの移動操作が右方向の場合はアクティブ枠６０３のある方の領域の表示範囲と非アクティブ枠の領域の表示範囲を双方連動して左に移動する。ただし、非アクティブ枠の領域の表示範囲が撮像範囲全体の左端に達した場合はそれ以上左に移動できないため、更に左に移動する指示があっても移動しない。逆に、タッチムーブでの移動操作が左方向の場合はアクティブ枠６０３のある方の領域の表示範囲と非アクティブ枠の領域の表示範囲を双方連動して右に移動する。ただし、非アクティブの領域の表示範囲が撮像範囲全体の右端に達した場合はそれ以上右に移動できないため、更に右に移動する指示があっても移動しない。例えば、図８（ｃ）のような状態から、左へタッチムーブすると、図８（ｄ）のように表示が遷移し、左側領域６０１の表示範囲と右側領域６０２の表示範囲の双方が共に右に移動（部分ライブビュー画像は左に移動）する。このようにすることで、アクティブ枠６０３のある左側領域６０１の表示範囲を、非アクティブな右側領域６０２の移動前の表示範囲よりも右側に移動させる操作を、煩わしい操作をすることなく、かつ、混乱なく行うことができる。すなわち、左側領域６０１の表示範囲を右側領域６０２の移動前の表示範囲よりも右側に移動させたい場合に、右側領域６０２にアクティブ枠６０３を切り替えて右側領域６０２の表示範囲を移動させる操作を行う必要がない。また、左側領域６０１の表示範囲が右側領域６０２の表示範囲よりも右側となってしまうといった、左右の領域の表示範囲の位置関係の逆転が起こらないため、ユーザーは混乱なく操作することができる。アクティブ枠６０３が右側領域６０２にあり、右側領域６０２の表示範囲を、非アクティブな左側領域６０１の移動前の表示範囲よりも左側に移動させる場合も同様の効果がある。Ｓ７１０では、システム制御部５０は、２点目のタッチダウンが検出されたか否かを判定する。１点をタッチしている状態から時間をおいて２点目がタッチされた場合にＹｅｓとなるほか、１点もタッチしていない状態から２点同時にタッチした場合にもＳ７０１がＹｅｓとなるとともにＳ７１０がＹｅｓとなる。タッチオンが２点のタッチ位置で検出された場合、すなわちマルチタッチを検知した場合はＳ７１１に進み、そうでない場合はＳ７１６に進む。
【００８９】
Ｓ７１１では、システム制御部５０は、システムメモリ５２に配置された２点フラグ変数へ１を代入する。タッチオンが２点のタッチ位置で検出されたこと（マルチタッチが行われている状態）を示すものであれば、２点フラグ変数への代入に限定されるものではなく、タッチオンが２点のタッチ位置で検出されたか否かが判定可能となる他の情報の記憶でもよい。
【００９０】
Ｓ７１２では、システム制御部５０は、２点目のタッチダウンが検出された時点の２点のタッチ位置の両方が左側領域６０１と右側領域６０２のどちらか一方の表示領域内か否かを判定する。タッチオンが検出された２点のタッチ位置の両方が左側領域６０１と右側領域６０２のどちらか一方の領域に含まれる場合（図８（ｇ）の状況）はＳ７１３に進む。そうでない場合、すなわち図６（ｅ）のように１点目と２点目のタッチ位置が別の領域である場合はＳ７１４に進む。
【００９１】
Ｓ７１３では、システム制御部５０は、ピンチ操作に応じて２点拡大しているＬＶ画像の倍率を変更する。ピンチ操作がピンチアウトの場合は左側領域６０１、右側領域６０２に表示されるＬＶ画像を操作前の倍率よりもそれぞれ拡大し、同じ拡大倍率とする（左右連動して拡大する）。ピンチ操作がピンチインの場合は左側領域６０１、右側領域６０２に表示されるＬＶ画像を操作前の倍率よりもそれぞれ縮小し、同じ拡大倍率とする。例えば図８（ｇ）のように、２点目のタッチダウンがあった時点の１点目と２点目のタッチ位置が双方左側領域６０１内である場合には、その後２点のタッチ位置が互いに近づくピンチインによって、図８（ｈ）のようにＬＶ画像を操作前の倍率よりも縮小する。
【００９２】
Ｓ７１４では、システム制御部５０は、ピンチ操作に応じて左側領域６０１と右側領域６０２に表示される表示範囲を連動して、遠近方向（互いの間隔が伸縮する方向）に移動する。ピンチ操作がピンチインの場合は左側領域６０１、右側領域６０２に表示される表示範囲が、移動前の互いの中点を中心として遠のく方向に連動して移動する。ただし、左側領域６０１、右側領域６０２に表示される表示範囲が撮像範囲全体の端に達した場合はそれ以上移動できないため、更にピンチインによる移動指示があっても端に達した表示範囲は移動せず、端に達していない表示範囲のみ移動する。ピンチ操作がピンチアウトの場合は左側領域６０１、右側領域６０２に表示される表示範囲が、移動前の互いの中点を中心として近づく方向に連動して移動する。左側領域６０１、右側領域６０２に表示される表示範囲が接している場合は更にピンチアウトによる移動指示があっても移動しない。例えば、図８（ｅ）のように、１点目のタッチ位置が左側領域６０１内で、２点目のタッチ位置が右側領域６０２内と、別の領域であった場合には、その後２点のタッチ位置が互いに遠ざかるピンチアウトによって、図８（ｆ）のように遷移する。すなわち、左側領域６０１、右側領域６０２に表示される表示範囲が、移動前の互いの中点を中心として近づく方向に連動して移動する。結果として、図８（ｅ）における左側インジケーター６１１と右側インジケーター６１２の距離は、図８（ｆ）における左側インジケーター６１１と右側インジケーター６１２のように近づく。なお、ピンチ操作に応じた表示範囲の移動方向は逆の方向とする構成でもよい。
【００９３】
Ｓ７１５では、システム制御部５０は、マルチタッチされていた２点のタッチのうち１点がタッチアップされたか否かを判定する。１点がタッチアップされた場合はＳ７１６に進み、そうでない場合はマルチタッチが継続しているためＳ７１２に進む。
【００９４】
Ｓ７１６では、システム制御部５０は、タッチオンを検出していたすべてのタッチがタッチアップされたか（全点タッチアップされたか）否かを判定する。全点タッチアップされた場合はＳ７１７に進み、そうでない場合（１点でのタッチが継続している場合）はＳ７０３に進む。
【００９５】
Ｓ７１７では、システム制御部５０は、ムーブフラグ変数が１または２点フラグ変数が１か否かを判定する。ムーブフラグ変数が１または２点フラグ変数が１の場合はタッチ処理を終了し、そうでない場合はＳ７１８に進む。ムーブフラグ変数が１または２点フラグ変数が１の場合は、上述のように、表示範囲の移動や倍率変更をする操作であったため、タッチ操作前とアクディブ枠６０３の位置を変えない。
【００９６】
Ｓ７１８では、システム制御部５０は、Ｓ７０２でシステムメモリ５２に記憶したタッチダウンの入力座標（タッチダウン位置）が解除領域に含まれるか否かを判定する。解除領域に含まれる場合はＳ７２４に進み、そうでない場合はＳ７１９に進む。ここでＹｅｓとなる場合は、タッチダウン後にタッチムーブもマルチタッチも行われずにタッチアップされた場合であり、解除領域に対するタップ操作が行われた場合である。なお、解除領域はアクティブ枠６０３のある領域のＬＶ画像の視認の妨げとならないように、非アクティブ枠の領域のＬＶ画像に重畳して表示される。本実施形態では、拡大位置ガイド６１０の表示範囲、及びガイド６０６が解除領域であるものとする。ガイド６０６だけを解除領域としてもよい。ガイド６０６は、解除領域を表す文字（「キャンセル」）を含むタッチアイコンである。
【００９７】
Ｓ７１９では、システム制御部５０は、Ｓ７０２でシステムメモリ５２に記憶したタッチダウンの入力座標（タッチダウン位置）がアクティブ枠６０３のある方の領域に含まれるか否かを判定する。アクティブ枠６０３のある方の領域に含まれる場合はＳ７２１に進み、そうでない場合はＳ７２０に進む。
【００９８】
Ｓ７２０では、システム制御部５０は、タッチ操作前にアクティブ枠６０３があった領域から他方の領域にアクティブ枠６０３を移動する。このように、非アクディブの領域に対するタップ操作によって、アクティブ枠６０３の付される領域を切り替えることができる。
【００９９】
Ｓ７２１では、システム制御部５０は、２点拡大を解除することなく、アクティブ枠６０３のある領域の中央部（中央マーカー６０５が示す位置）に対してＡＦを行う。なお、中央部でなくとも、タッチダウン位置またはタッチアップ位置の被写体に対してＡＦを行うようにしてもよい。このように、アクティブ枠の領域に対するタップ操作によって、ＡＦの実行指示を行うことができる。
【０１００】
Ｓ７２２では、システム制御部５０は、タッチシャッターの設定が有効（オン）となっているか否かを判定する。タッチシャッターの設定の有効（オン）または無効（オフ）は、ユーザーが予め設定メニュー画面から設定しておくことができる。タッチシャッターの設定が有効（オン）の場合には、ライブビュー画像上へのタッチ操作に応じて撮影処理を行う。タッチシャッターの設定が無効（オフ）の場合には、ライブビュー画像上へのタッチ操作があっても撮影処理は行わない。なお、タッチシャッターの設定は、全体ライブビュー画面と２点拡大とで共通の設定としても良いし、全体ライブビュー画面とは別の設定である、２点拡大用の設定としてタッチシャッターの設定の有効（オン）または無効（オフ）が設定できるようにしてもよい。全体ライブビュー画面とは別の設定とした場合、全体ライブビュー画面ではタッチシャッターをオンとして、２点拡大ではタッチシャッターをオフとすることが可能である。また逆に、全体ライブビュー画面ではタッチシャッターをオフとして、２点拡大ではタッチシャッターをオンとするように設定することも可能である。全体ライブビュー画面はライブビュー撮影モードで起動した際に最初に表示される撮影待機画面であるため、全体ライブビューを表示した状態で、カメラをネックストラップで首から下げて移動することもある。この場合、全体ライブビューにおけるタッチシャッターをオフとしておけば、タッチパネル７０ａが腹部にあたる誤タッチによって意図しない撮影が行われてしまうことを防止することができる。一方、２点拡大はライブビュー撮影モードで起動した際に最初に表示される撮影待機画面ではないため、２点拡大表示を行ったままカメラをネックストラップで首から下げて移動することは滅多にない。従ってタッチパネル７０ａが腹部にあたる誤タッチは起こりにくく、タッチシャッターをオンとして、意図したタッチで撮影できる利便性を優先させることができる。タッチ操作に応じて撮影処理を行うよう設定されている場合（タッチシャッターの設定がオンの場合）はＳ７２３に進み、そうでない場合はタッチ処理を終了して図４のＳ４１９に進む。
【０１０１】
Ｓ７２３では、システム制御部５０は、前述の撮影処理（撮像部２２からの信号読み出しから記録媒体２００に画像ファイルを書き込むまでの一連の撮影処理）を行う。このように、タッチアップで撮影指示を行うことが可能である。
【０１０２】
Ｓ７２４では、システム制御部５０は、２点拡大表示を解除してライブビュー画像の全体表示に戻し、２点拡大処理を終了するとともにタッチ処理を終了する。Ｓ７２４の処理を行った場合は、図４のＳ４１９からＳ４１７に進み、２点拡大処理を終了し、図３のＳ３０１に進む。このように、本実施形態によれば、タッチ操作に応じて、２点拡大表示における表示範囲の移動、倍率変更、アクティブ領域の切替、ＡＦ、撮影、２点拡大の解除などを操作性良く行うことができる。タッチ操作は、ハードウェアキーであるダイヤル操作部材を回転させたり、押しボタンを押下する操作よりも軽い力で行うことができ、操作する力によってデジタルカメラ１００の姿勢が変わってしまう可能性が低い（姿勢に及ぼす影響が小さい）。従って、２点拡大表示における各種の操作をタッチ操作で行える本実施形態によれば、２点拡大表示を操作する力によって装置の姿勢調整に悪影響を与えることなく、２点拡大表示を活用して精密に姿勢を調整することができる。
【０１０３】
なお、上述のＳ７１４では、１点目と２点目のタッチ位置が別の領域である場合のピンチ操作に応じた処理の例を説明した。この場合に、ピンチ操作ではなく、２点のタッチ位置が双方とも同一方向に移動するタッチムーブがあった場合、双方の領域の表示範囲をタッチムーブに応じた方向に移動するようにしてもよい。すなわち、２点のタッチ位置が双方とも左にタッチムーブした場合には双方の領域の表示範囲を右に移動する。２点のタッチ位置が双方とも右にタッチムーブした場合には双方の領域の表示範囲を左に移動する。この時、左側領域６０１と右側領域６０２の表示範囲の間隔を一定に保って連動して移動すると良い。
【０１０４】
また、上述のＳ７１２〜Ｓ７１４では、１点目と２点目のタッチ位置が別領域である場合と同じ領域である場合とで異なる処理（Ｓ７１３またはＳ７１４）を行う例を説明した。しかしこれに限らず、１点目と２点目のタッチ位置が別の領域であるか同じ領域であるかに関わらず、ピンチ操作に応じてＳ７１３で説明した２領域連動での倍率変更の処理を行っても良い。この場合は、Ｓ７１２とＳ７１４の処理を無くし、Ｓ７１１の後とＳ７１５でＮｏとなった後はＳ７１３に進む。
【０１０５】
また、上述の例では、タッチムーブとマルチタッチによる操作に機能を割り当てたため、これらと両立するためにタッチダウンがあっただけではＡＦや撮影の指示を行わず、タッチアップに応じてＡＦや撮影を行う例を説明した。しかし、タッチムーブやマルチタッチによる操作に機能を割り当てない場合には、タッチダウンに応じて（すなわちタッチアップを待たずに）ＡＦや撮影の処理を行うようにしても良い。この場合、Ｓ７０１でタッチダウンがあったと判定した場合に、Ｓ７１８に進み、タッチダウンに応じてＳ７１８〜Ｓ７２４の処理（ＡＦ，撮影、アクティブ領域の切替、２点拡大の終了）を行う。
【０１０６】
なお、システム制御部５０が行うものとして説明した上述の各種制御は、１つのハードウェアが行ってもよいし、複数のハードウェアが処理を分担することで、装置全体の制御を行ってもよい。
【０１０７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１０８】
また、上述した実施形態においては、本発明をデジタルカメラ１００に適用した場合を例にして説明したが、これはこの例に限定されず、２点拡大表示を行うことのできる撮像制御装置であれば適用可能である。すなわち、本発明はカメラ機能を有するパーソナルコンピュータやＰＤＡ、カメラ付き携帯電話端末やカメラ付きの携帯型の画像ビューワ、カメラ付き音楽プレーヤー、カメラ付きゲーム機、カメラ付き電子ブックリーダーに適用可能である。また、カメラ付きタブレット端末、カメラ付きスマートフォン、カメラ機能とディスプレイを備える家電装置や車載装置などに適用可能である。また、デジタルカメラ等で撮影したライブビュー画像を有線または無線通信を介して受信して表示し、リモートでデジタルカメラ（ネットワークカメラを含む）を制御するスマートフォンやタブレットＰＣ、デスクトップＰＣなどの装置にも適用可能である。
【０１０９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2018107713.tif 000003
【図２】
2018107713.tif 000004
【図３】
2018107713.tif 000005
【図４】
2018107713.tif 000006
【図５】
2018107713.tif 000007
【図６】
2018107713.tif 000008
【図７】
2018107713.tif 000009
【図８】
2018107713.tif 000010